(57)【要約】      （修正有）【課題】住宅、公共施設、住宅団地、公園などの施設周囲に設けられ、例えば豪雨による出水、洪水などが押し寄せた際には、施設の内部への水の侵入を阻止する遮水壁を提供する。【解決手段】遮水壁は、前面を開放面とする平面コ字状を呈し、かつその内部にフロート３を収納する中空柱体２と、背面の基盤壁面１ａと外面を臨水面とする水位対応壁面１ｃとで形成され、中空柱体を昇降自在に収装するための収装用空所１ｂを具える固定遮水枠１とからなり、設定水位を超えた場合に、水が水位対応壁面を乗り越えて収装用空所内に流入する時、収装用空所内に収装されている中空柱体が上昇する。【選択図】図１
2016108887.tif 000002
【特許請求の範囲】
【請求項１】
増水、洪水に伴う水の侵入を防止するべき施設の周囲に設けた遮水壁であって、当該遮水壁は、前面を開放面とする平面コ字状を呈し、かつその内部にフロートを収納する中空柱体と、背面の基盤壁面と外面を臨水面とする水位対応壁面とで形成され、前記中空柱体を昇降自在に収装するための収装用空所を具える固定遮水枠とからなり、設定水位を超えた場合に、水が水位対応壁面を乗り越えて収装用空所内に流入する時、当該収装用空所内に収装されている中空柱体が上昇する増水時に上昇する遮水壁。
【請求項２】
請求項1記載の上昇する遮水壁において、中空柱体の上端に平板状基盤を設け、その上面を花壇、植栽に利用する増水時に上昇する遮水壁。
【請求項３】
請求項1記載の上昇する遮水壁の基盤壁面を、増水に伴う水の侵入を防止するべき施設の周囲に設けた遮蔽物の前面に設けた増水時に上昇する遮水壁。
【発明の詳細な説明】
【技術分野】
【０００１】
本発明は、住宅、公共施設、住宅団地、公園などの施設周囲に設けられ、例えば豪雨による出水、洪水などが押し寄せた際には、施設の内部に水が侵入するのを阻止するための遮水壁が自動的に展開されるようにした増水時に上昇する遮水壁に関する。
【背景技術】
【０００２】
従来、例えば増水、出水時などに住宅、施設内に水が入らないようにする対策は、土嚢を積上げることを通例とした。また増水時に浮力を利用し回転する遮水壁を利用する対策例もある。（特開２００２−１５５６６６）
【先行技術文献】
【特許文献】
【０００３】
【特許文献１】特開２００２−１５５６６６号公報
【発明の概要】
【発明が解決しようとする課題】
【０００４】
本発明は、住宅、公共施設、住宅団地、公園などの施設周囲に設けられ、例えば豪雨による出水、洪水などが押し寄せた際には、施設の内部への水が侵入するのを阻止するため遮水壁が自動的に展開されるようにした増水時に上昇する遮水壁の提供にある。
【課題を解決するための手段】
【０００５】
本第1の発明は、増水、洪水に伴う水の侵入を防止するべき施設の周囲に設けた遮水壁であって、当該遮水壁は、前面を開放面とする平面コ字状を呈し、かつその内部にフロートを収納する中空柱体と、背面の基盤壁面と外面を臨水面とする水位対応壁面とで形成され、前記中空柱体を昇降自在に収装するための収装用空所を具える固定遮水枠とからなり、設定水位を超えた場合に、水が水位対応壁面を乗り越えて収装用空所内に流入する時、当該収装用空所内に収装されている中空柱体が上昇する増水時に上昇する遮水である。
本第2の発明は、上記記載の上昇する遮水壁において、中空柱体の上端に平板状基盤を設け、その上面を花壇、植栽に利用する増水時に上昇する遮水壁である。
本題3の発明は、上記第1の発明記載の増水時に上昇する遮水壁の基盤壁面を、増水に伴う水の侵入を防止するべき施設の周囲に設けた遮蔽物の前面に設けた増水時に上昇する遮水壁である。
【発明の効果】
【０００６】
本第1の発明に係る増水時に上昇する遮水壁は、増水、洪水に伴う水の侵入を防止するべき施設の周囲に設ける。当該遮水壁は、前面を開放面とする平面コ字状を呈し、かつその内部にフロートを収納する中空柱体と、背面の基盤壁面と外面を臨水面とする水位対応壁面とで形成され、前記中空柱体を昇降自在に収装するための収装用空所を具える固定遮水枠とからなり、設定水位を超えた場合に、水が水位対応壁面を乗り越えて収装用空所内に流入する時、当該収装用空所内に収装されている中空柱体が上昇する増水時に上昇する遮水壁である。そのため、増水時に水位が設定値を超えた場合に、水が水位対応壁面を乗り越えて収装用空所内に流入し、当該収装用空所内に収装されている中空柱体が上昇するように構成したから、増水時の水位上昇に反応し、中空柱体が自動的に基盤壁面以上に上昇するため施設内への浸水を防止する。
本第2の発明に係る増水時に上昇する遮水壁は、上記に合わせ中空柱体の上端に平板状基盤を設け、中空柱体を一体的に固定したため、その上面を花壇、植栽に利用するため平常時の景観を損なわない。
本第3の発明に係る増水時に上昇する遮水壁は、その基礎壁面の高さを、洪水に伴う水の侵入を防止するべき施設の周囲に設けた既存の遮蔽物、例えばブロック塀、石垣あるいは建造物の壁面の前面に設けた増水時に上昇する遮水壁であるため、既存の遮蔽物などの高さ以上に増水した場合でも浸水を防止する。
【図面の簡単な説明】
【０００７】
【図１】本第1の発明の要部を表した説明用側面図である。
【図２】本第２の発明の要部を表した説明用側面図である。
【図３】本第３の発明の要部を表した説明用側面図である。
【図４】本発明の中空柱体の要部を表した説明用側面図である。
【発明を実施するための形態】
【０００８】
以下本発明を図面を用いて説明する。図1に示すように本発明は増水、洪水に伴う水の侵入を防止するべき施設の周囲に設ける増水時に上昇する遮水壁である。当該遮水壁は、固定遮水枠と中空柱体とで構成されている。図４の中空柱体の要部図にあるように（図4ａは正面図、図4ｂは平面図である。）中空柱体は、前面を開放面とする平面コ字状を呈し、かつその内部にフロートを収納している。固定遮水枠は、背面の基盤壁面と外面を臨水面とする水位対応壁面とで形成され、その間が前記中空柱体を昇降自在に収装するための収装用空所となっている。
設定水位を超えた場合に、水が水位対応壁面を乗り越えて収装用空所内に流入する。流入した水の及ぼす浮力により収装用空所内に収装されている中空柱体が中空柱体とフロートにかかる浮力により上昇することで施設内への浸水を防止する。
【０００９】
図に示すように、水位が上昇し、水位対応壁面を超えると水が収装用空所に導かれ中空柱体を上昇させる。
中空柱体は、図に示す例では、その上端が基盤壁面の頂面となどしくなるように形成してあるが、必ずしもその必要はない。フロートは中空柱体の内部に収納され水位が高くなり収装用空所まで水が浸水することで浮力が発生する。
【００１０】
フロートは、柱中間体の形状に合わせ一体収納するものであっても、複数に分割したものであってもよい。フロートは中空の密封函体、発泡樹脂など適宜選んで使用することができる。
【００１１】
上記した中空柱体は、所要長さに亘って構築されている遮水壁の収装用空所に、立てた状態にしてかつ夫々昇降自在に並べて収容してある。  図2〜図4に示すように、その上端には、これを一列状に連ねるように平板状基盤が設けられている。平板状基盤は花壇あるいは植栽用スペースとして利用することができる。
このような平板状基盤を設けずに、中空柱体の頂面自体を、このような平板状基盤に代えて、所要の景観用スペースとして利用するように構成しても良い。
【００１２】
本遮水壁は、増水、洪水に伴う水の侵入を防止するべき施設の周囲に設けるものであるが、これら施設の周囲にブロック塀、石垣あるいは建造物の壁面など浸水防止に利用できる施設が存在する場合、図３に示すように、その前面に設置することができる。増水、出水時に前記施設を超えるような水位の増加に対しても防御効果を発揮する。
【００１３】
増水、出水が引いて水位が下がった場合、フロートに及ぼす浮力が解消されるため、中空柱体が降下し、平板状基盤が元状に復する。
【産業上の利用可能性】
【００１４】
豪雨による出水、増水により施設の敷地内に浸水する被害を防ぐために使用される。
【符号の説明】
【００１５】
１  固定遮水枠
1a  基盤壁面
1b  収装用空所
1c  水位対応壁面
２  中空柱体
３  フローと
４  平板状基盤
５  既存遮蔽物
【図１】
2016108887.tif 000003
【図２】
2016108887.tif 000004
【図３】
2016108887.tif 000005
【図４】
2016108887.tif 000006